(57)【特許請求の範囲】
【請求項１】
絶縁性の基板本体と、
該基板本体に金属箔でパターン形成されたグランド面と、
該グランド面が形成されていない領域として前記基板本体上に該基板本体の一辺に接して設けられたアンテナ占有領域と、
該アンテナ占有領域から前記基板本体の一辺の反対方向に向けて延在して前記グランド面に空けられたスリット部と、
該スリット部内に延在して金属箔でパターン形成され基端側に給電点が設けられると共に途中に第１受動素子が接続され先端側が前記基板本体の一辺に向けて前記アンテナ占有領域内に延在した給電パターンと、
誘電体基体と該誘電体基体の表面に形成された導体パターンと該導体パターンによって互いに接続され前記誘電体基体の両端に形成された一対の電極部とで構成されていると共に前記給電パターンの先端部に一端の前記電極部が接続され前記基板本体の一辺に沿って設置された誘電体アンテナのアンテナ素子と、
該アンテナ素子の他端の前記電極部と隣接する前記グランド面との間に接続された第２受動素子と、
前記給電パターンの先端部と前記アンテナ素子の反対側の前記グランド面とを接続して金属箔でパターン形成されインダクタンス成分を有するグランド接続パターンとを備えていることを特徴とするアンテナ装置。
【請求項２】
請求項１に記載のアンテナ装置において、
前記給電パターンが、前記基板本体の一辺まで延在し、
前記グランド接続パターンが、前記基板本体の一辺に接して形成されていることを特徴とするアンテナ装置。
【発明の詳細な説明】
【技術分野】
【０００１】
本発明は、誘電体アンテナを用いたアンテナ装置に関する。
【背景技術】
【０００２】
従来、通信機器において、無線回路基板に実装されるアンテナ素子の一つに、誘電体を用いた表面実装型アンテナ、いわゆる誘電体アンテナが挙げられる。この誘電体アンテナは、誘電体の基材にアンテナ動作を行う放射電極が設けられている。また、従来、この誘電体アンテナを用いたモノポール型または逆Ｆ型のアンテナといった開放型のアンテナ形式が主流である。
【０００３】
通常、モノポール型や逆Ｆ型等の開放型のアンテナの場合、開放端のインピーダンスが高いため、実装したアンテナ素子とグランドとの間の距離をできる限り長く確保する必要がある。そのため、アンテナ性能を十分確保するためには、グランド面が形成された基板において、実装されたアンテナ素子の周辺のグランドを抜いてグランド面からアンテナ素子を離す必要がある。しかしながら、実際、誘電体アンテナをアンテナ素子として基板上に実装する場合、機器の小型化を考慮すると、アンテナとして利用できるスペース（アンテナ占有領域）は限られる場合が多く、アンテナ素子周辺のグランドの影響によってアンテナ性能が十分に発揮できない不都合があった。そのため、少しでもグランドの影響を少なくするために、アンテナ素子を実装する位置を基板の端部等に実装する場合が多い。
【０００４】
このため、従来、例えば特許文献１には、アンテナ動作を行う容量給電タイプの放射電極が基体に設けられ、その基体は回路基板の非グランド領域に搭載されており、回路基板の接地電極と基体の放射電極とを電気的に接続するための接地用ラインが設けられているアンテナ構造が提案されている。このアンテナ構造の接地用ラインは、折り返し部を有する形状とされている。また、特許文献２には、アンテナ動作を行う放射電極が基体に形成されている表面実装型アンテナと、グランド電極が形成されているグランド領域とグランド電極が形成されていない非グランド領域とを有する基板とを有し、放射電極の一端側がグランド電極に接地されるグランド接続部とされているアンテナ構造が記載されている。
【先行技術文献】
【特許文献】
【０００５】
【特許文献１】国際公開第ＷＯ２００６／１２０７６２号
【特許文献２】国際公開第ＷＯ２００８／０３５５２６号
【発明の概要】
【発明が解決しようとする課題】
【０００６】
しかしながら、上記従来の技術においても、以下の課題が残されている。
上記特許文献１に記載の技術では、アンテナ性能が接地用ラインの折り返し部に多く依存するため、折り返し部の状態によってアンテナ性能の劣化や不安定要素の増加が生じてしまう問題があった。すなわち、折り返し部の長さを確保してアンテナ占有領域を大きくする必要があるため、アンテナ占有領域が限られている場合には十分なアンテナ性能が得られない。
【０００７】
また、上記特許文献２に記載の技術では、基板上の給電電極から容量結合されアンテナ素子自体に給電点がなく、放射電極が直接グランドと接続されているため、アンテナ性能がグランド面の状態に左右され、アンテナ性能を改善することが困難であるという不都合があった。なお、共振周波数を調整するために、インダクタ、コンデンサを経由してグランドに接続する形態も記載されているが、グランドへ広がる高周波電流の流れを抑制することは困難となり、やはりアンテナ占有領域を大きくする必要がある。また、グランドとの浮遊容量を抑制しているため、アンテナ素子の放射分に依存し、アンテナ素子周辺の状態に影響を受け、アンテナ性能を改善することが困難である。
このように、従来、アンテナ性能を改善するためには、アンテナ素子および周辺素子を含めたアンテナ占有領域を大きくするという対策が必要であり、設計の自由度が小さく、アンテナ性能の改善も困難であった。
【０００８】
本発明は、前述の課題に鑑みてなされたもので、限られたアンテナ占有領域を最大限に利用して十分なアンテナ性能を確保することができるアンテナ装置を提供することを目的とする。
【課題を解決するための手段】
【０００９】
本発明は、前記課題を解決するために以下の構成を採用した。すなわち、本発明のアンテナ装置は、絶縁性の基板本体と、該基板本体に金属箔でパターン形成されたグランド面と、該グランド面が形成されていない領域として前記基板本体上に該基板本体の一辺に接して設けられたアンテナ占有領域と、該アンテナ占有領域から前記基板本体の一辺の反対方向に向けて延在して前記グランド面に空けられたスリット部と、該スリット部内に延在して金属箔でパターン形成され基端側に給電点が設けられると共に途中に第１受動素子が接続され先端側が前記基板本体の一辺に向けて前記アンテナ占有領域内に延在した給電パターンと、誘電体基体と該誘電体基体の表面に形成された導体パターンと該導体パターンによって互いに接続され前記誘電体基体の両端に形成された一対の電極部とで構成されていると共に前記給電パターンの先端部に一端の前記電極部が接続され前記基板本体の一辺に沿って設置された誘電体アンテナのアンテナ素子と、該アンテナ素子の他端の前記電極部と隣接する前記グランド面との間に接続された第２受動素子と、前記給電パターンの先端部と前記アンテナ素子の反対側の前記グランド面とを接続して金属箔でパターン形成されインダクタンス成分を有するグランド接続パターンとを備えていることを特徴とする。
【００１０】
このアンテナ装置では、アンテナ占有領域内を延在する給電パターンの先端部に一端の電極部が接続され前記基板本体の一辺に沿って設置された誘電体アンテナのアンテナ素子と、該アンテナ素子の他端の電極部と隣接するグランド面との間に接続された第２受動素子と、給電パターンの先端部とアンテナ素子の反対側のグランド面とを接続しインダクタンス成分を有するグランド接続パターンとを備えているので、アンテナ占有領域内に電流分布が集中すると共にグランド面への高周波電流の流れを抑制することができる。つまり、実装時の周辺部品等の影響も低減することが可能になる。
すなわち、本アンテナ装置では、グランド接続パターンによるインダクタンス成分とアンテナ素子の一端の電極部（給電端子）とグランド面との間のギャップによる浮遊容量とによるアンテナ素子とグランド面との間の浮遊容量で得られる並列共振と、アンテナ素子と第１受動素子とによる直列共振と、第１受動素子から給電パターン、アンテナ素子、第２受動素子およびグランド面の内縁部を介して第１受動素子に至るループ形状による共振とが生じる。したがって、給電パターンの左右にそれぞれ得られる２種類の並列共振により、グランド面へ広がる高周波電流の流れを抑制し、限られたアンテナ占有領域を最大限に利用して高いアンテナ性能を得ることができる。
【００１１】
また、本発明のアンテナ装置は、前記給電パターンが、前記基板本体の一辺まで延在し、前記グランド接続パターンが、前記基板本体の一辺に接して形成されていることを特徴とする。
すなわち、このアンテナ装置では、給電パターンが、前記基板本体の一辺まで延在し、グランド接続パターンが、前記基板本体の一辺に接して形成されているので、アンテナ素子およびグランド接続パターンが基板端に配されることで、アンテナ素子の性能を最大限に引き出して利用することができる。
【発明の効果】
【００１２】
本発明によれば、以下の効果を奏する。
すなわち、本発明のアンテナ装置によれば、アンテナ占有領域内を延在する給電パターンの先端部に一端の電極部が接続され前記基板本体の一辺に沿って設置された誘電体アンテナのアンテナ素子と、該アンテナ素子の他端の電極部と隣接するグランド面との間に接続された第２受動素子と、給電パターンの先端部とアンテナ素子の反対側のグランド面とを接続しインダクタンス成分を有するグランド接続パターンとを備えているので、グランド面への高周波電流を抑制することができると共に、小さいアンテナ占有領域であっても高いアンテナ性能を得ることができる。
したがって、本発明のアンテナ装置は、省スペースでも最大限のアンテナ性能を実現し、高い設置自由度も得ることができる。
【図面の簡単な説明】
【００１３】
【図１】本発明に係るアンテナ装置の一実施形態を示す平面図である。
【図２】本実施形態において、アンテナ装置を示す底面図である。
【図３】本実施形態において、アンテナ装置を示す模式的な等価回路図である。
【図４】本実施形態において、アンテナ素子を示す斜視図である。
【図５】本実施形態において、アンテナ素子を示す平面図（ａ）、正面図（ｂ）、底面図（ｃ）、背面図（ｄ）および側面図（ｅ）である。
【図６】本実施形態において、アンテナ装置の表面における電流分布を示すシミュレーション結果の高周波電流の流れを簡易的に示す説明図である。
【図７】本発明に係るアンテナ装置の実施例において、リターンロス（反射損失）特性を示すグラフである。
【図８】本実施例において、アンテナ装置の放射パターンを示すグラフである。
【図９】本発明に係るアンテナ装置の従来例１（ａ）および従来例２（ｂ）を示す要部の斜視図である。
【図１０】本発明の従来例１（ａ）、従来例２（ｂ）および実施例のアンテナ利得を比較したグラフである。
【図１１】本実施例において、基板サイズを変更した際のアンテナ利得を示すグラフである。
【発明を実施するための形態】
【００１４】
以下、本発明に係るアンテナ装置の一実施形態を、図１から図６を参照しながら説明する。
【００１５】
本実施形態におけるアンテナ装置１は、図１に示すように、絶縁性の基板本体２と、該基板本体２に金属箔でパターン形成されたグランド面ＧＮＤと、該グランド面ＧＮＤが形成されていない領域として基板本体２上に該基板本体２の一辺２ａに接して設けられたアンテナ占有領域ＡＯＡと、該アンテナ占有領域ＡＯＡから基板本体２の一辺２ａの反対方向に向けて延在してグランド面ＧＮＤに空けられたスリット部Ｓと、該スリット部Ｓ内に延在して金属箔でパターン形成され基端側に給電点ＦＰが設けられると共に途中に第１受動素子Ｐ１が接続され先端側が基板本体２の一辺２ａに向けてアンテナ占有領域ＡＯＡ内に延在した給電パターン３と、誘電体基体７と該誘電体基体７の表面に形成された導体パターン４と該導体パターン４によって互いに接続され誘電体基体７の両端に形成された一対の電極部４ａ，４ｂとで構成されていると共に給電パターン３の先端部に一端の電極部（給電端子）４ａが接続され基板本体２の一辺２ａに沿って設置された誘電体アンテナのアンテナ素子ＡＴと、該アンテナ素子ＡＴの他端の電極部４ｂ（終端端子）と隣接するグランド面ＧＮＤとの間に接続された第２受動素子Ｐ２と、給電パターン３の先端部とアンテナ素子ＡＴの反対側のグランド面ＧＮＤとを接続して金属箔でパターン形成されインダクタンス成分を有するグランド接続パターン５とアンテナ素子ＡＴの他端の電極部４ｂおよび第２受動素子Ｐ２の一端が接続される終端側ランド部６とを備えている。
【００１６】
上記給電パターン３は、基板本体２の一辺２ａまで延在し、グランド接続パターン５は、基板本体２の一辺２ａに接して形成されている。また、終端側ランド部６も、基板本体２の一辺２ａ側に配されている。
上記給電パターン３は、アンテナ素子ＡＴの一端の電極部４ａが接続される先端部の給電側ランド部３ａと、該給電側ランド部３ａと第１受動素子Ｐ１が接続されている部分との間の細線部３ｂとを有している。また、上記給電側ランド部３ａの幅は、上記細線部３ｂよりも広く形成され、隣接するグランド面ＧＮＤとの間隔が細線部３ｂよりも狭く設定されている。
なお、上記給電点ＦＰは、高周波回路（図示略）の給電点に接続される。また、グランド面ＧＮＤには、高周波回路が実装される。
【００１７】
上記第１受動素子Ｐ１および第２受動素子Ｐ２は、例えばインダクタ、コンデンサまたは抵抗が採用される。これらの第１受動素子Ｐ１および第２受動素子Ｐ２により、所望の周波数およびインピーダンス調整を行う。例えば、本実施形態では、第１受動素子Ｐ１としてインダクタを採用し、第２受動素子Ｐ２としてはコンデンサを採用している。
なお、第２受動素子Ｐ２にコンデンサを用いる場合、浮遊容量Ｃ４と第２受動素子Ｐ２のコンデンサ容量との並列浮遊容量成分と、アンテナ素子ＡＴのインダクタンス成分とで直列共振（図中の符号Ｒ２部分）となる。
また、上記各パターン、ランド部およびグランド面ＧＮＤは、銅箔等の金属箔でパターン形成されている。
【００１８】
上記基板本体２は、一般的なプリント基板であって、本実施形態では、長方形状のガラスエポキシ樹脂等からなるプリント基板の本体を採用している。この基板本体２の表面には、略矩形状にグランド面ＧＮＤが抜かれて上記アンテナ占有領域ＡＯＡが設けられている。また、基板本体２の裏面は、図２に示すように、グランド面ＧＮＤがパターン形成されており、上記アンテナ占有領域ＡＯＡの直下に相当する部分のグランド面ＧＮＤが抜かれている。
【００１９】
上記アンテナ素子ＡＴは、アンテナ動作の所望の共振周波数に自己共振しないローディング素子であって、例えば図４および図５に示すように、セラミックス等の誘電体基体７の表面にＡｇ等の導体パターン４が形成されたチップアンテナである。このアンテナ素子ＡＴは、共振周波数等の設定に応じて、誘電体材料、長さや幅等のサイズ、導体パターン４の巻き数や幅等が設定される。
【００２０】
また、アンテナ素子ＡＴは、インダクタンス成分のみではなく、容量成分も内在し、インピーダンスが決定される。なお、アンテナ素子ＡＴのインピーダンスは、使用周波数に対して高インピーダンスに設定されることが望ましい。
すなわち、使用周波数、使用する誘電体材料から、アンテナ素子サイズが選定される。また、アンテナ要求性能（アンテナ利得、帯域幅など）により、導体パターン４の巻き数、パターン幅等の最適化を行う。例えば、図４および図５に示すアンテナ素子ＡＴでは、導体パターン４の巻き数によるインピーダンス値、導体パターン４の線間幅による容量値等の設定を行うことで、使用周波数に対するインピーダンスの最適化を行う。
【００２１】
上述したように、アンテナ素子ＡＴは、給電端子となる一端の電極部４ａが給電パターン３とグランド面ＧＮＤとに接続されていると共に、終端端子となる他端の電極部４ｂが第２受動素子Ｐ２を経由してグランド面ＧＮＤに接続されている。また、アンテナ占有領域ＡＯＡは、給電パターン３により給電端子（電極部４ａ）側と終端素子（電極部４ｂ）側とに２つに分割されている。
【００２２】
本実施形態のアンテナ装置１では、図３に示すように、グランド接続パターン５によるインダクタンス成分Ｌと、給電パターン３の給電側ランド部３ａとグランド面ＧＮＤとの間の浮遊容量Ｃ１と、給電パターン３の細線部３ｂとグランド面ＧＮＤとの間の浮遊容量Ｃ２と、アンテナ素子ＡＴと第１受動素子Ｐ１側のグランド面ＧＮＤとの間の浮遊容量Ｃ３と、アンテナ素子ＡＴと第２受動素子Ｐ２側のグランド面ＧＮＤとの間の浮遊容量Ｃ４とが発生する。
【００２３】
すなわち、グランド接続パターン５によるインダクタンス成分Ｌ、アンテナ素子ＡＴの一端の電極部（給電端子）４ａとグランド面ＧＮＤとの間のギャップによる浮遊容量Ｃ１およびアンテナ素子ＡＴとグランド面ＧＮＤとの間の浮遊容量Ｃ２で得られる並列共振（図中の符号Ｒ１部分）と、アンテナ素子ＡＴと第２受動素子Ｐ２と浮遊容量Ｃ４とによる直列共振（図中の符号Ｒ２部分）と、第１受動素子Ｐ１から給電パターン３、アンテナ素子ＡＴ、第２受動素子Ｐ２およびグランド面ＧＮＤの内縁部を介して第１受動素子Ｐ１に至るループ形状による共振（図中の符号Ｒ３部分）とが生じる。したがって、給電パターン３の左右にそれぞれ得られる２種類の並列共振により、グランド面ＧＮＤへ広がる高周波電流の流れを抑制し、限られたアンテナ占有領域ＡＯＡを最大限に利用して高いアンテナ性能を得ることができる。
【００２４】
次に、本実施形態のアンテナ装置１の表面における任意の位相での電流分布をシミュレーションにより解析した結果について、高周波電流の流れを簡易的に矢印で示したものを図６に示す。この図から判るように、アンテナ占有領域ＡＯＡ内に電流分布が集中し、グランド面ＧＮＤへ広がる高周波電流の流れが抑制されている。
すなわち、アンテナ素子ＡＴと第２受動素子Ｐ２とによる直列共振により、高周波電流がグランド面ＧＮＤの内縁部に沿って矢印Ｙ１方向に流れ易くなり、グランド面ＧＮＤへ広がる高周波電流の流れが抑制される。
【００２５】
また、給電パターン３とグランド面ＧＮＤとの間の浮遊容量Ｃ１，Ｃ２とグランド接続パターン５のインダクタンス成分Ｌとによる並列共振により、高周波電流がグランド面ＧＮＤの内縁部に沿って矢印Ｙ２方向に流れ易くなり、グランド面ＧＮＤへ広がる高周波電流の流れが抑制される。さらに、グランド接続パターン５および終端側ランド部６は、アンテナ素子ＡＴを介して、放射に寄与する同方向（矢印Ｙ３方向）へ高周波電流が流れて、互いに強め合っている。
【００２６】
このように本実施形態のアンテナ装置１では、アンテナ占有領域ＡＯＡ内を延在する給電パターン３の先端部に一端の電極部４ａが接続され基板本体２の一辺２ａに沿って設置された誘電体アンテナのアンテナ素子ＡＴと、該アンテナ素子ＡＴの他端の電極部４ｂと隣接するグランド面ＧＮＤとの間に接続された第２受動素子Ｐ２と、給電パターン３の先端部とアンテナ素子ＡＴの反対側のグランド面ＧＮＤとを接続しインダクタンス成分を有するグランド接続パターン５とを備えているので、アンテナ占有領域ＡＯＡ内に電流分布が集中すると共にグランド面ＧＮＤへ広がる高周波電流の流れを抑制することができる。つまり、実装時の周辺部品等の影響も低減することが可能になる。
【００２７】
また、給電パターン３が、基板本体２の一辺２ａまで延在し、グランド接続パターン５が、基板本体２の一辺２ａに接して形成されているので、アンテナ素子ＡＴおよびグランド接続パターン５が基板端に配されることで、アンテナ素子ＡＴの性能を最大限に引き出して利用することができる。
【００２８】
なお、アンテナ素子ＡＴは、アンテナ素子ＡＴからの放射空間を広く確保するため、できるだけ基板本体２の端、すなわち一辺２ａに近づけて設置することが望ましい。
また、グランド接続パターン５は、最短でかつ直線で給電パターン３からグランド面ＧＮＤへ繋げることが望ましい。
また、給電パターン３（細線部３ｂから給電側ランド部３ａ）、グランド接続パターン５およびグランド面ＧＮＤの内縁部で囲まれる開口部は、広い方が望ましい。
さらに、アンテナ占有領域ＡＯＡは、できるだけ大きい方が望ましい。
なお、基板本体２のサイズは、影響が少ないが、波長の４分の１程度の長さであることが好ましい。
【実施例】
【００２９】
次に、本実施形態のアンテナ装置を実際に作製した実施例において評価した結果を、図７から図１１を参照して説明する。
【００３０】
まず、基板本体２のサイズを、上記一辺２ａを１００ｍｍとすると共に上記一辺２ａに直交する辺を５０ｍｍとした実施例を作成した。また、この際の第１受動素子Ｐ１は４．２ｎＨのインダクタを採用し、第２受動素子Ｐ２は０．３ｐＦのコンデンサを採用した。さらに、給電点ＦＰは、基板本体２の略中央に設定した。
【００３１】
この本実施例におけるリターンロス結果を、図８に示す。また、本実施例における放射パターンを図９に示す。なお、この際、基板本体２の一辺２ａの延在方向をＹ方向とし、給電パターン３の延在方向をＸ方向とし、基板本体２の表面に直交する方向をＺ方向とした場合のＺＸ面に対する垂直偏波を測定した。
これらから、本実施例では、リターンロスが少ないと共に無指向性の放射パターンが得られ、高いアンテナ性能を実現できていることが判る。
【００３２】
次に、アンテナ占有領域ＡＯＡのサイズを５ｍｍ×５ｍｍに設定した実施例を作製し、開放型の従来のアンテナとして、図９の（ａ）（ｂ）に示す逆Ｆアンテナ形式の従来例１および２とアンテナ利得について比較した。
【００３３】
上記従来例１は、図９の（ａ）に示すように、アンテナ占有領域ＡＯＡのサイズを本実施例と同様に５ｍｍ×５ｍｍに設定したものであり、上記従来例２は、図９の（ｂ）に示すように、アンテナ占有領域ＡＯＡのサイズを本実施例よりも幅広に１０ｍｍ×５ｍｍに設定したものである。これらの従来例１および２では、アンテナ素子ＡＴ０が接続された逆Ｆ形状のアンテナエレメント２３を有している。なお、基板本体２のサイズは、上記実施例と同様にいずれも１００ｍｍ×５０ｍｍである。また、アンテナ素子ＡＴ０は、誘電体基体のアンテナエレメント２３に接続された端面から上面まで銅パターン２４が形成されている。
【００３４】
本実施例と従来例１および２とのアンテナ利得を比較したグラフを、図１０に示す。従来例１では、全方位アンテナ利得が−５．０７ｄＢｉと低く、これを改善するためにアンテナ占有領域ＡＯＡを広げた従来例２でも、全方位アンテナ利得が−２．２３ｄＢｉまでしか改善されていない。これらに対し、本実施例では、従来例１と同様の小さなアンテナ占有領域ＡＯＡであるが、全方位アンテナ利得が−１．４８ｄＢｉと高いアンテナ利得が得られ、従来例１および２とそれぞれ３．６ｄＢ、０．８ｄＢの差が得られている。このように、本実施例では、アンテナ占有領域ＡＯＡが小さい場合でも高いアンテナ性能が実現可能である。
【００３５】
次に、基板本体２のサイズ（基板本体２の一辺２ａ×該一辺２ａに直交する辺）を、１００ｍｍ×５０ｍｍ、５０ｍｍ×５０ｍｍおよび２５ｍｍ×２５ｍｍの３種類用意して３つの実施例を作製し、それぞれのアンテナ利得について調べた。サイズを変更した各基板本体２の実施例によるアンテナ利得を比較したグラフを、図１１に示す。
この結果から判るように、基板本体２のサイズ１００ｍｍ×５０ｍｍ、５０ｍｍ×５０ｍｍおよび２５ｍｍ×２５ｍｍの各実施例は、全方位アンテナ利得がそれぞれ−１．４８ｄＢｉ、−０．８１ｄＢｉおよび−１．９４ｄＢｉであり、基板本体２のサイズが小さくなっても本実施例ではアンテナ性能の劣化が少ない。
【００３６】
なお、本発明は上記実施形態および上記実施例に限定されるものではなく、本発明の趣旨を逸脱しない範囲において種々の変更を加えることができる。
【００３７】
例えば、基板本体２裏面のグランド面ＧＮＤにおいて表面のスリット部Ｓに対向する部分を、表面のスリット部Ｓと同様に直線状にグランド面ＧＮＤを抜いてグランド面ＧＮＤが無い部分としても構わない。
また、上記実施形態では、第１受動素子Ｐ１が、給電パターン３のスリット部Ｓ内に配された部分に設置されているが、給電パターン３のアンテナ占有領域ＡＯＡ内に延在した部分の途中に設置しても構わない。
【符号の説明】
【００３８】
１…アンテナ装置、２…基板本体、２ａ…基板本体の一辺、３…給電パターン、４ａ…アンテナ素子の一端の電極部（給電端子）、４ｂ…アンテナ素子の他端の電極部（終端端子）、５…グランド接続パターン、ＡＯＡ…アンテナ占有領域、ＡＴ…アンテナ素子、ＦＰ…給電点、ＧＮＤ…グランド面、Ｐ１…第１受動素子、Ｐ２…第２受動素子、Ｓ…スリット部
【図１】
0005625829.tif 000002
【図２】
0005625829.tif 000003
【図３】
0005625829.tif 000004
【図４】
0005625829.tif 000005
【図５】
0005625829.tif 000006
【図６】
0005625829.tif 000007
【図９】
0005625829.tif 000008
【図７】
0005625829.tif 000009
【図８】
0005625829.tif 000010
【図１０】
0005625829.tif 000011
【図１１】
0005625829.tif 000012